(57)【要約】【課題】大型の設備や熟練等を要さず、また小ロット生産にも対応でき、更に軽量且つ美観性に優れた人型体を提供すること。【解決手段】人体を複数の位置で互いに平行な方向に切断したときの各切断面の形状を示す複数の板状部材（４）と、複数の板状部材を其々の位置関係を保持した状態で支持する支持部材（５，６）と、を備えて人型体（１）を構成する。【選択図】　図１
2004141564.tif 000002
【特許請求の範囲】
【請求項１】
人体を複数の位置で互いに平行な方向に切断したときの各切断面の形状を有する複数の板状部材と、
前記複数の板状部材を前記人体に対応する其々の位置関係を保持した状態で支持する支持部材と、
を備えて構成される人型体。
【請求項２】
請求項１に記載の人型体において、
前記複数の板状部材の少なくとも一部は可視光の反射率が５０％〜９０％となるように形成されたことを特徴とする人型体。
【請求項３】
請求項１に記載の人型体において、
前記板状部材はアルミニウム材料で形成されたことを特徴とする人型体。
【請求項４】
請求項１に記載の人型体において、
前記板状部材は紙で形成されたことを特徴とする人型体。
【請求項５】
請求項１乃至４の何れか一項に記載の人型体で形成したマネキン人形。
【発明の詳細な説明】
【０００１】
【発明の属する技術分野】
本発明は、マネキン人形等の人型体に関する。
【０００２】
【従来の技術】
従来、マネキン人形は、ＦＲＰ（Ｆｉｂｅｒ−Ｒｅｉｎｆｏｒｃｅｄ　Ｐｌａｓｔｉｃｓ）やポリ塩化ビニール樹脂等の材料を鋳型成形して製造していた。このように形成されたマネキン人形は、衣裳を着せて飾る陳列用の人形として用いられる。
【０００３】
【発明が解決しようとする課題】
しかしながら、このような従来のマネキン人形においては、マネキン人形のサイズ毎に鋳型を持つ必要があり小ロット生産には向かず、またマネキン人形を一体成形するため製造設備が大型化してしまうという問題があった。
【０００４】
また、マネキン人形の輪郭全体を表皮層で形成するので、マネキン人形自体の重量が重くなってしまうという問題があり、また、衣裳を着せていない状態では必ずしも見栄えのよいものではなかった。
【０００５】
本発明は、このような問題点に鑑みて為されたもので、その目的とするところは、大型の設備や熟練等を要さず、また小ロット生産にも対応でき、更に軽量且つ美観性に優れた人型体を提供することにある。
【０００６】
【課題を解決するための手段】
本発明は、上述の目的を解決するため、以下の手段を採用した。
【０００７】
すなわち、本発明は、製造が容易で且つ美観性に優れた人型体とするため、人体を複数の位置で互いに平行な方向に切断したときの各切断面の形状を有する複数の板状部材を、人体に対応する其々の位置関係を保持した状態で支持部材により支持して人型体を形成したことをその要旨とする。なお、本明細書において、人体とは、人間の体の全体のみならず、人間の体の一部（例えば、頭部および四肢を欠く胴体）をも意味するものとする。
【０００８】
本発明の人型体は、人体を複数の位置で互いに平行な方向に切断したときの各切断面の形状を有する複数の板状部材と、複数の板状部材を人体に対応する其々の位置関係を保持した状態で支持する支持部材と、を備えている（請求項１）。
【０００９】
このように板状部材と支持部材とで人型体を構成するので、部材単位の大きさは極端に大きくなることはなく、製造設備の小型化が可能となる。また、板状部材の形状を変更することにより、簡単に人型体の形状を変更することができるので、小ロットの生産も可能となる。
【００１０】
更に、人型体は、互いに平行な方向に積み重ねた板状部材を支持部材で支持して形成され、また空間を多く含んで形成されるので、秩序だった外観を示し、重々しいイメージがない優れた美観性を呈することが可能となる。また、人型体の輪郭を板状部材により形成し、表皮層を形成する部材を設ける必要がなく、軽量な人型体の提供が可能となる。
【００１１】
更に、板状部材と支持部材との接続を解けば容易に分解することができ、かかる状態で運搬、収納ができるため、運搬性、収納性に優れた人型体を提供することが可能となる。
【００１２】
なお、支持部材としては、板状部材の形状特定に用いた人体の切断面に対し垂直な面で該人体を切断したときの切断面の形状を有する板状部材（以下で支持板という）や、板状部材の面に対して垂直方向に延びる柱状部材（以下で支持柱という）を用いることができる。また、支持板及び支持柱を同時に支持部材として用いてもよい。
【００１３】
また、人体をその高さ方向に垂直な面で切断したときの切断面の形状を有するように板状部材を形成するとよい。このように板状部材を、人体の高さ方向と垂直となる切断面の形状に形成すれば、各板状部材の面積を小さくすることができ、板状部材の数を増やして人体の輪郭を細かく表現した場合でも、重々しいイメージを与えることなく、また、人型体を前後左右から観察する場合でも常に板状部材の面に対して平行な方向から観察することとなるため、重々しいイメージを一層払拭でき、美観性に優れた人型体を提供することが可能となる。
【００１４】
また、このように人体をその高さ方向に垂直な面で切断したときの切断面の形状を有するように板状部材を形成し、且つ、支持部材を支持板で構成する場合は、人体をその高さ方向に平行で且つ胸部から背部に向かう面で切断したときの切断面の形状を有するように支持板を形成するとよい。このように、人体の高さ方向に平行で且つ胸部から背部へ向かう切断面の形状に支持板を形成すれば、該支持板によりバストからウエスト、ヒップへかけての人体の曲線的な美しさを表現することが可能となる。なお、支持板の枚数は、人型体が重々しいイメージを与えることを避けるため２枚以下とすることが望ましい。
【００１５】
上述した複数の板状部材の少なくとも一部は、可視光の反射率が５０〜９０％となるように形成されることが良く（請求項２）、より望ましくは可視光の反射率が６０〜９０％となるように形成されることが良い。これによれば、人型体は照明等の可視光を反射して観察者に煌びやかなイメージを与え、一層優れた美観性を示すことができる。なお、可視光の反射率が５０％未満になると可視光の反射により美観性を出すことがほとんど期待できなくなり、５０％以上６０％未満では可視光の反射により美観性を出すことはできるもののその効果は小さい。また、可視光の反射率が９０％を超えると可視光の反射が強すぎてかえって美観性を損なう結果となる。
【００１６】
また、上述した板状部材はアルミニウム材料で形成することにより（請求項３）、照射された可視光を反射して観察者に煌びやかなイメージを与え、また軽量で耐食性が良く、更にリサイクル性の高い人型体を形成することができる。この場合、アルミニウム材料で形成した板状部材の表面に陽極酸化皮膜（アルマイト）を形成すると良く、更に、二次電解着色法により着色すると良い。アルマイトを形成することにより耐磨耗性、耐食性等を向上して、腐食され難く、傷が付き難い人型体とすることができ、また、二次電解着色法で着色すれば色落ちを防止することができる。なお、支持部材として支持板を用いる場合は、支持板もアルミニウム材で形成することができ、更に、アルマイト形成、二次電解着色法による着色することができる。なお、本明細書でアルミニウム材料とは、アルミニウム及びアルミニウム合金をいう。
【００１７】
また、上述した板状部材は紙で形成することにより（請求項４）、軽量でリサイクル性の高い人型体を形成することができる。また、利用者が予め与えられた形状に板状部材を切り抜いて手軽に製作することができる。なお、支持部材として支持板を用いる場合は、支持板も紙で形成することができる。
【００１８】
以上の人型体をマネキン人形として用いればよい（請求項５）。これによれば、軽量で運搬性が良いマネキン人形とすることができ、また、上述のように優れた美観性を有するので衣裳を着せていない状態でも一種の置物（オブジェ）として用いることができる。なお、人型体をマネキン人形として用いる際に、人型体を支えるための基台を含んでマネキン人形としてもよい。
【００１９】
【発明の実施の形態】
本発明に好適な実施の形態について、図面に基づいて説明する。
【００２０】
なお、以下に説明する実施の形態は、衣裳を着せて飾る陳列用の等身大の人形であるマネキン人形に、本発明を適用したものである。
【００２１】
１．第１実施形態
Ａ．マネキン人形の構成
図１は、第１実施形態に係るマネキン人形の全体構成を示す斜視図である。図１に示すように、マネキン人形１は、マネキン本体２と、それを支える基台３とで構成される。
【００２２】
マネキン本体２は、首および四肢を欠く胴体のみの人体を示すように形成され、複数（１５枚）の板状部材４を所定の間隔で積み重ね、これらを支持板５及び支持柱６で支持して形成される。
【００２３】
図２は、板状部材４の形状を決定するための人体の切断位置を説明する図である。図２に示すように、人体Ｈの形状を示すようマネキン本体２を形成するため、板状部材４はａ〜ｏの各位置において人体Ｈをその高さ方向（図２の矢印の方向）に垂直な方向に切断したときの断面形状を示すように形成される。
【００２４】
図３は、図２におけるａ〜ｏの各位置に対応する板状部材４ａ〜４ｏの形状を示した図である。板状部材４はアルミニウム材からなる厚さ２ｍｍ程度の板を、図３に示した各形状に抜き加工して形成される。なお、板状部材４の表面には、アルマイトが形成され、更に、二次電解着色法（Ｎｉ等の金属を含む電解液中で電解処理してアルマイトの微細孔中に金属を析出させ着色する方法）により着色が施されている。また、着色後の板状部材４の反射率が５０〜９０％、望ましくは６０〜９０％となるように調整される。
【００２５】
また、図４（Ａ）に代表して板状部材４ｃの平面図を示すように、板状部材４ａ〜４ｏは、支持板５と嵌め合わせにより接続するための嵌合溝４１と、支持柱６を挿入するための挿入孔４２とを備えている。更に、図４（Ａ）に示すように、人体Ｈの肩部を形成する板状部材４ｌは肩部の曲線を形づくるように両端を折り曲げて加工されている。
【００２６】
図５は、支持板５の形状を示した図である。図５に示すように、支持板５は、胸部から腰部を構成する２枚の支持板５ａと首部を構成する２枚の支持板５ｂとからなり、それぞれ人体Ｈをその高さ方向に平行な方向で且つ胸部から背部へ向かう方向に切断したときの切断面形状を示している。支持板５は、板状部材４と同様に、アルミニウム材からなる厚さ２ｍｍ程度の板を、図５に示した形状に抜き加工して形成され、表面にはアルマイトが形成され、更に、二次電解着色法により着色が施されている。なお、着色後の支持板５の反射率は５０〜９０％、望ましくは６０〜９０％となるように調整される。また、支持板５は、板状部材４の嵌合溝４１と嵌め合わせるための嵌合溝５１を備えている。この嵌合溝５１は、図２に示した板状部材４ａ〜４ｏの位置と対応する位置に形成される。
【００２７】
図６は、支持柱６の形状を示した図である。図６に示すように、支持柱６は、複数個の板状部材４ａ〜４ｏを互いに所定間隔を空けて積み重ねた状態で支持しており、１個の基礎柱６１と、３個のパイプ柱６２と、１２個の単位柱６３で構成される。
【００２８】
図７は、基礎柱６１、パイプ柱６２、及び単位柱６３の外観図である。図７に示すように、基礎柱６１は、板部６１ａと、板部６１ａに垂直に固定された柱部６１ｂと、柱部６１ｂの先端に設けられた雄ねじ部６１ｃとで構成される。なお、柱部６１ｂには、後述する基台３の柱部３ｂを挿入するための、板部６１ａ方向に開口する凹部が形成されている。また、パイプ柱６２は、その内径が基礎柱６１の柱部６１ｂの外形よりやや大きく形成され、その長さが板状部材４の所定間隔に形成されている。基礎柱６１と３個のパイプ柱６２とで、マネキン本体２の下方に位置する４枚の板状部材４ａ〜４ｄを支持している。すなわち、基台柱６１に板状部材４とパイプ６２とを交互にして、パイプ６２で板状部材４を所定間隔に保つように支持する（図６参照）。
【００２９】
また、単位柱６３は、雄ねじ部６３ａとそれに対応する雌ねじ部６３ｂとを備えており、複数の単位柱６３を連結可能に形成されている。なお、最上部に位置する単位柱６３Ｔは雄ねじ部６３ａを備えておらず、上部は半球状に形成されている。そして、１２個の単位柱６３（６３Ｔ）により、マネキン本体２の上方に位置する板状部材４ｆ〜４ｏを支持している。すなわち、単位柱６３（６３Ｔ）を連結する際に、間に板状部材４を挟み込んで連結して、板状部材４を支持する（図６参照）。
【００３０】
基台３は、板部３ａと、板部３ａに垂直に固定された柱部３ｂとで構成される。そして、基台３は、柱部３ｂの上端を基礎柱６１の柱部６１ａに設けられた凹部に挿入して、マネキン本体２を載置する。
【００３１】
Ｂ．マネキン人形の組み立て方法
次に、マネキン人形１の組み立て方法について説明する。図８はマネキン本体２の組み立て手順を示す図である。
【００３２】
組み立て作業に入る前に、前述したマネキン人形１の各構成部材を用意する。板状部材４及び支持材５は、アルミニウム材からなる板状部材を、コンピュータを用いて設計した人体Ｈの各断面形状を示す形状に抜き加工し、同時に、嵌合溝４１、５１、及び挿入孔４２の加工を行ない製造する。また、板状部材４及び支持材５にはアルマイトが形成され、更に、二次電解着色法により着色が施される。また、基台３及び支持柱６の構成部材も其々用意する。
【００３３】
そして、先ず、マネキン本体２を組み立てる。始めに、図８（Ａ）に示すように、基礎柱６１に、板状部材４とパイプ柱６２とを交互に挿入する。そして、図８（Ｂ）では、間に板状部材４を挟みながら単位柱６３を順番にねじ込んで接続していき、肩部を構成する板状部材４ｌまで組み立てる（図８（Ｃ））。そして、図８（Ｄ）では、板状部材４に設けた嵌合溝４１に、嵌合溝５１を嵌合させるようにして支持板５ａを組み付ける。その後、マネキン本体２の首部を構成する単位柱６３を板状部材４を間に挟んで組み立てた後、支持板５ｂを組み付けてマネキン本体２が完成する。
【００３４】
その後、基台３の上部に、マネキン本体２の基礎柱６１に設けられた凹部に基台３の柱部３ｂを挿入するようにしてマネキン本体２を固定し、マネキン１の組み立てが完了する。
【００３５】
このように形成された第１実施形態に係るマネキン人形１は、板状部材４と支持板５と支持柱６を用いて容易に組み立てることができる。また、板状部材４及び立て指示板５の形状を変更することにより、容易にマネキン人形１の形状を替えることができる。更に、マネキン人形１を正面から観察したときには、板状部材４及び支持板５は板厚部分しか観察されず、スッキリとしたイメージを与え、また、マネキン人形１を側面から観察したときには、支持板５がバスト、ウエスト、ヒップへかけての人体の曲線的な美しさを表現することができるため、マネキン人形１は優れた美観性を示すことができる。また、板状部材４及び支持板５の可視光反射率が５０％〜９０％となるように形成したので、マネキン人形１に可視光を照射し場合に、当該可視光を反射して観察者に煌びやかなイメージを与え、一層優れた美観性を示すことができる。更に、板状部材４、支持板５及び支持柱６を分解可能とすれば、運搬が容易で且つ収納性に優れる。更に、板状部材４及び支持板５をアルミニウム材で形成したので、マネキン人形１が不用となった場合に容易にリサイクルすることができる。
【００３６】
なお、以上では支持部材として、支持板５及び支持柱６を用いる場合について説明したが、これに限られることなく、例えば、支持部材として支持板５のみを用いてもよく、また支持部材として支持柱６のみを用いてもよい。
【００３７】
前者の例として、図９（Ａ）に示すように、板状部材４と支持板５のみでマネキン本体２を組み立て、図９（Ｂ）及び図９（Ｃ）に示す接続部材７で板状部材４と支持板５とを固定したものが挙げられる。
【００３８】
また、後者の例として、図１０（Ａ）に示すように、基台３の上部に図１０（Ｂ）に示す固定部材８を備えた支持柱を形成し、固定部材８で板状部材４を支えるように固定してものが挙げられる。なお、図１０（Ｂ）に示すように、固定部８は、固定板８ａとバネ材８ｂとで構成され、通常は固定板８ａが開いた状態で、バネ材８ｂの付勢力に反して矢印の方向に力を加えることにより固定板８ａを閉じることができるように形成される。そして、板状部材４を定位置に移動する際には固定板８ａを閉じて板状部材４を通過させ、また、定位置に移動された板状部材４は固定板８ａの上部で支えるように固定される。また、図１０（Ｃ）に示すように、支持柱を蛇腹状に形成して、支持柱を変形できるようにしてもよい。
【００３９】
また、以上では支持板５を無垢板で形成した場合について説明したが、これに限られることなく、支持板５に図１１に示すような開口部５１を設けてもよい。このように、開口部５１を設けることにより、マネキン人形１を更に軽量化することができ、また、支持板５が重々しいイメージを与えることなく、特に、ライトアップした場合では光が通過する面積が増し一層優れた美観性を示すこととなる。
【００４０】
２．第２実施形態
第２実施形態に係るマネキン人形は、第１実施形態に係るマネキン人形１のマネキン本体２を上下で２分割して、両者を回転可能に連結したものである。
【００４１】
なお、マネキン本体２を分割して両者を連結したこと以外は、第１実施形態に係るマネキン人形１と同様の構成及び作用効果を奏するので、同一の構成部分については同一符号を用いて、説明は省略する。
【００４２】
図１２（Ａ）は第２実施形態に係るマネキン人形の全体構成を示す斜視図、図１２（Ｂ）は第２実施形態に係るマネキン人形の正面図である。図１２（Ａ）及び（Ｂ）に示すように、マネキン人形１１は、上部マネキン本体２ａと、下部マネキン本体２ｂと、連結部材としての回転要素を備えた単位柱６４と、基台３とで構成される。
【００４３】
上部マネキン本体２ａ及び下部マネキン本体２ｂは、第１実施形態に係るマネキン本体２と同様の構成を備えている。また、基台３は、第１実施形態の基台３と同一の構成を備える。
【００４４】
そして、上部マネキン本体２ａと下部マネキン本体２ｂの繋ぎ部分の支持柱６として単位柱６４が用いられる。単位柱６４は、図１３に示すように、上部柱部材６４ａと、下部柱部材６４ｂと、両者を接続する球形部材６４ｃとで構成される。上部柱部材６４ａの上面には雄ねじ部、下部柱部材６４ｂの下面には雌ねじ部が其々形成されている。そして、上部柱部材６４ａと下部柱部材６４ｂは球形部材６４ｃにそれぞれ軸方向に回転可能に固定されている。
【００４５】
このように構成されたマネキン人形１１は、上部マネキン本体２ａと下部マネキン本体２ｂとを、支持柱６の軸方向（図１２（Ａ）の矢印の方向）に回転することができる。したがって、マネキン人形１１の設置場所にあわせてマネキン人形１１のかたちを調整することを可能にする。
【００４６】
３．他の実施形態
以上の実施形態では、アルミニウム材を用いてマネキン人形の主要部を形成した例を示したが、これに限られず、紙材を用いてマネキン人形の主要部を構成してもよい。
【００４７】
例えば、紙材で形成した板状部材及び支持板を組み立ててマネキン人形を形成すれば、手軽に製作でき、軽量でしかも不要時の処分が容易なマネキン人形を提供できる。すなわち、利用者は型紙を用いる等して自分の体型に合った板状部材及び支持板を紙材上に設計し、その形状に合わせて紙材を切り取り組み立てることにより容易にマネキン人形を製作することができる。
【００４８】
また、以上の実施形態では、板状部材をマネキン人形が示す人体をその高さ方向に垂直な方向に切断したときの断面形状に形成した例を示したが、これに限られず、例えば、人体を斜め方向に切断したときの断面形状に板状部材を形成してもよい。
【００４９】
また、以上の実施形態では、人型体としてのマネキン人形についての例を示したが、これに限られず、人型体は置物等であってもよい。また、人型体は、人体の全部を示すものであっても良く、人体の一部を示すものであっても良い。
【００５０】
また、以上の実施形態では、マネキン本体と基台とをあわせてマネキン人形としたが、マネキン本体単体でマネキン人形としてもよい。
【００５１】
【発明の効果】
以上説明したように、本発明に係る人型体は、大型の設備や熟練等を要さず、また小ロット生産にも対応でき、更に軽量且つ優れた美観性を備える。
【図面の簡単な説明】
【図１】第１実施形態のマネキン人形の全体構成を示す斜視図である。
【図２】第１実施形態の板状部材の形状を決定するための人体の切断位置を説明する図である。
【図３】第１実施形態の板状部材を示す図である。
【図４】（Ａ）は第１実施形態の板状部材の詳細を示す図であり、（Ｂ）は第１実施形態の肩部を構成する板状部材の加工形状を示す図である。
【図５】第１実施形態の支持板を示す図である。
【図６】第１実施形態の支持柱を示す図である。
【図７】第１実施形態の支持柱の構成部材を示す図である。
【図８】第１実施形態のマネキン本体組み立て手順を示す図である。
【図９】（Ａ）は第１実施形態の他のマネキン人形を示す図であり、（Ｂ）は（Ａ）における板状部材と支持板の接続部の拡大図であり、（Ｃ）は接続部材を示す斜視図である。
【図１０】（Ａ）は第１実施形態の他の支持柱を示す図であり、（Ｂ）は（Ａ）における固定部材の拡大図であり、（Ｃ）は第１実施形態の別の他の支持柱を示す図である。
【図１１】第１実施形態の別の他のマネキン人形を示す図である。
【図１２】（Ａ）は第２実施形態のマネキン人形を示す斜視図であり、（Ｂ）は第２実施形態のマネキン人形を示す正面図である。
【図１３】第２実施形態の上部マネキン本体と下部マネキン本体の接続部を構成する単位柱を示す図である。
【符号の説明】
１　マネキン人形
２　マネキン本体
３　基台
４　板状部材
５　支持板（支持部材）
６　支持柱（支持部材）
【図１】
2004141564.tif 000003
【図２】
2004141564.tif 000004
【図３】
2004141564.tif 000005
【図４】
2004141564.tif 000006
【図５】
2004141564.tif 000007
【図６】
2004141564.tif 000008
【図７】
2004141564.tif 000009
【図８】
2004141564.tif 000010
【図９】
2004141564.tif 000011
【図１０】
2004141564.tif 000012
【図１１】
2004141564.tif 000013
【図１２】
2004141564.tif 000014
【図１３】
2004141564.tif 000015